(57)【特許請求の範囲】
【請求項１】
外部空間と内部空間とを連通する開口部が形成され、
網状であって複数の平坦部が交互に出没して並ぶように形成された網状板部材により前記開口部が閉止され、
前記開口部の周縁部に、前記網状板部材の端部が接合する接合部材を備え、
前記接合部材に、前記開口部側に開口することにより当該機器収納ラックの外部空間と内部空間とを連通する通気孔が形成される
ことを特徴とする機器収納ラック。
【請求項２】
前記網状板部材の網目が亀甲形に形成されていることを特徴とする請求項１に記載の機器収納ラック。
【請求項３】
前記開口部が扉部材に形成されたことを特徴とする請求項１又は２に記載の機器収納ラック。
【請求項４】
前記網状板部材を複数用いて前記開口部を閉止し、前記複数の網状板部材同士の間に配置される補強部材を備えることを特徴とする請求項１から３のいずれかに記載の機器収納ラック。
【発明の詳細な説明】
【技術分野】
【０００１】
本発明は、コンピュータ等の電子機器を収納する機器収納ラックに関するものである。
【背景技術】
【０００２】
図１６から図１８は、従来の機器収納ラック２を示す正面図、右側面図、及び平面図である。この従来の機器収納ラック２は、不図示のコンピュータ等の電子機器を収納するための収納空間を有する本体部４と、この本体部４の正面側と背面側のそれぞれにヒンジ部材６を介して開閉自在に取り付けられる２つの扉部８を備えている。
【０００３】
この扉部８のそれぞれは、図１６に示すように、正面側から見たときの平面形状が長方形である扉本体部材９を備え、この扉本体部材９の高さ中央部に錠部材１０が取り付けられていることにより、本体部４の内部に収納される不図示のコンピュータ等の電子機器に対して、管理者等以外の第三者により不正操作等が行なわれるのを防止するようになっている。
【０００４】
また、この従来の機器収納ラック２の扉部８のそれぞれは、その扉本体部材９の中央部に形成された長方形の開口部１２が、平板状のパンチングメタル部材１４（網状板部材）により閉止されている。
【０００５】
パンチングメタル部材１４は、図１６中において図面の複雑化の防止のために無地状に示してあるが、実際には、その任意の平面領域を拡大した図１９に示すように、通気孔として機能する多数の小さい丸孔１６が、打ち抜き加工により全面にわたって形成されている。これにより、従来の機器収納ラック２は、排熱機能と不正操作防止機能の両方を発揮できるようになっていた。
【０００６】
すなわち、従来の機器収納ラック２は、図１６から図１８に示すように、２つの扉部８のうちのいずれか一方の扉部８における扉本体部材９の開口部１２が外部空間の冷気を取り入れるための吸気口として機能し、他方の扉部８における扉本体部材９の開口部１２が排気口として機能することにより、本体部４の内部に収納した不図示の電子機器から発生する熱を外部空間に排出する、排熱機能を発揮するようになっていた。
【０００７】
また、従来の機器収納ラック２は、扉部８それぞれの扉本体部材９の開口部１２がパンチングメタル部材１４で閉止されていることにより、この開口部１２から、管理者等以外の第三者の手や工具等が差し込まれて不正操作等が行なわれるのを防止する不正操作防止機能を発揮するようになっていた。
【０００８】
また、上記した従来の機器収納ラック２は、その２つの扉部８を正面側と背面側に備える構造になっているので、複数の機器収納ラック２を、各々における２つの扉部８同士の対向方向が互いに平行方向を向くようにしつつ、このような扉部８同士の対向方向と直角の方向に互いに隣合うように連続的に並べて設置したような場合でも、このような複数の機器収納ラック２のそれぞれを適切に利用することができるようになっていた。
【０００９】
また、上記した従来の機器収納ラック２に類する機器収納ラックとしては、例えば、特許文献１に記載されているようなものがあった。
【先行技術文献】
【特許文献】
【００１０】
【特許文献１】特開２００２−１１１２４２号公報
【発明の概要】
【発明が解決しようとする課題】
【００１１】
しかしながら、上記した従来の機器収納ラック２においては、昨今のコンピュータ等の電子機器の技術発展によるその処理能力等の向上に伴って、その内部に収納するコンピュータ等の電子機器の発熱量が増大化しているため、機器収納ラックはその排熱機能の向上を迫られているという問題があった。
【００１２】
また、上記した従来の機器収納ラック２おいては、上記した排熱機能の効率の向上を図るための手段として、仮に、その扉部８のパンチングメタル部材１４の丸孔１６を大型化する第１の手段を採用したとすると、このような大型化した丸孔１６から工具等を挿し込むことができるようになるため、不正操作などの別の問題が生じるおそれがあった。
【００１３】
また、上記した排熱機能の効率の向上を図るための手段として、上記した第１の手段とは別個に、仮に、パンチングメタル部材１４における単位面積当たりの丸孔１６の個数を増やすことにより開孔率を増大させるようにする第２の手段を採用したとすると、必然的に丸孔１６同士の間の隙間が狭くなるので、この丸孔１６を打ち抜き加工により形成することとの関係上、その板厚を薄型化する必要があるため、強度が低下してしまうという問題があった。
【００１４】
そこで本発明は、上記問題点に鑑みて、別の問題が生じたり強度を損なったりしないようにしながら、排熱機能の向上を図ることができる機器収納ラックを提供することを課題とするものである。
【課題を解決するための手段】
【００１５】
上記課題を解決するために、本発明による機器収納ラックは、
外部空間と内部空間とを連通する開口部が形成され、
網状であって複数の平坦部が交互に出没して並ぶように形成された網状板部材により前記開口部が閉止され、
前記開口部の周縁部に、前記網状板部材の端部が接合する接合部材を備え、
前記接合部材に、前記開口部側に開口することにより当該機器収納ラックの外部空間と内部空間とを連通する通気孔が形成されることを特徴とするものである。
【００１７】
また、本発明による機器収納ラックは、前記網状板部材の網目が亀甲形に形成されていることを特徴とするものである。
【００１８】
また、本発明による機器収納ラックは、前記開口部が扉部に形成されたことを特徴とするものである。
【００１９】
また、本発明による機器収納ラックは、前記網状板部材を複数用いて前記開口部を閉止し、前記複数の網状板部材同士の間に配置される補強部材を備えることを特徴とするものである。
【発明の効果】
【００２０】
このような本発明の機器収納ラックによれば、
外部空間と内部空間とを連通する開口部が形成され、
網状であって複数の平坦部が交互に出没して並ぶように形成された網状板部材により前記開口部が閉止されることにより、
不正操作などの別の問題が生じたり強度を損なったりしないようにしながら、排熱機能の向上を図ることができる。
【００２１】
また、本発明の機器収納ラックによれば、
前記開口部の周縁部に、前記網状板部材の端部が接合する接合部材を備え、
前記接合部材に、前記開口部側に開口することにより当該機器収納ラックの外部空間と内部空間とを連通する通気孔が形成されることにより、
排熱機能をさらに向上させることができる。
【００２２】
また、本発明の機器収納ラックによれば、
前記網状板部材の網目が亀甲形に形成されていることにより、
前記網状板部材の開孔率を向上させることができると共に、その強度向上を図ることができる。
【００２３】
また、本発明の機器収納ラックによれば、
前記開口部が扉部に形成されたことにより、
当該機器収納ラックが互いに隣合うように複数並べて配置される場合でも、不正操作などの別の問題が生じたり強度を損なったりしないようにしながら、排熱機能の向上を図ることができる。
【００２４】
また、本発明の機器収納ラックによれば、
前記網状板部材を複数用いて前記開口部を閉止し、前記複数の網状板部材同士の間に配置される補強部材を備えることにより、
その強度を向上させることができる。
【図面の簡単な説明】
【００２５】
【図１】本発明の第１の実施の形態に係る機器収納ラック２０を示す正面図である。
【図２】図１に示す機器収納ラック２０の右側面図である。
【図３】図１に示す機器収納ラック２０の平面図である。
【図４】図１中の扉部２２の背面図である。
【図５】図４中のパンチングメタル部材３０ａの任意の平面領域を拡大した拡大正面図である。
【図６】図４中の扉部２２を示すＡ−Ａ線矢視断面図である。
【図７】図４中の扉部２２を示すＢ−Ｂ線矢視断面図である。
【図８】図４中の扉部２２を示すＣ−Ｃ線矢視断面図である。
【図９】本発明の第２の実施の形態に係る機器収納ラック６０を示す正面図である。
【図１０】図９中の扉部２２の背面図である。
【図１１】図１０中の扉部２２を示すＤ−Ｄ線矢視断面図である。
【図１２】図１０中の扉部２２を示すＥ−Ｅ線矢視断面図である。
【図１３】本発明の第３の実施の形態に係る機器収納ラック８０を示す正面図である。
【図１４】図１３に示す機器収納ラック８０の平面図である。
【図１５】図１３中の扉部８４の背面図である。
【図１６】従来の機器収納ラック２を示す正面図である。
【図１７】図１６に示す機器収納ラック２の右側面図である。
【図１８】図１６に示す機器収納ラック２の平面図である。
【図１９】図１６中のパンチングメタル部材１４の任意の平面領域を拡大した拡大正面図である。
【発明を実施するための形態】
【００２６】
以下、本発明に係る機器収納ラックを実施するための形態について、図面に基づいて具体的に説明する。
図１から図８は、本発明の第１の実施の形態に係る機器収納ラック２０について説明するために参照する図である。従来と同様の部分には同じ符号を用いて説明し、従来と同様の構成についての重複する説明は省略するものとする。
【００２７】
本実施の形態に係る機器収納ラック２０は、図１から図３に示すように、本体部４、及びこの本体部４の正面側と背面側のそれぞれにヒンジ部材６を介して開閉自在に取り付けられる２つの扉部２２を備えている。
【００２８】
扉部２２のそれぞれは、図１に示すように、その平面形状が長方形である扉本体部材２３を備えて構成されている。この扉本体部材２３は、その素材となる不図示の金属製の薄板材から折り曲げ加工により、図１に示すような長方形の平面形状に形成される際に、この長方形の四辺それぞれが、図２及び図３に示すように、これらの辺それぞれの長さ方向に直角の断面形状が略コの字状になるように折り返して形成されていることにより、扉本体部材２３全体として厚さを有するように形成されている。
【００２９】
また、扉本体部材２３それぞれは、図３に示すように、その幅方向（図３中左右方向）の中央部が両端部よりも厚くなるように形成されている。そして、図１に示すように、この扉本体部材２３における幅方向（図１中左右方向）の中央部には、鉛直方向（図１中上下方向）に並ぶ２つの開口部２４ａ，２４ｂが形成されている。
【００３０】
また、扉本体部材２３には、その左側の端部に２つの開口部２６ａ，２６ｂが互いに錠部材１０を挟んで鉛直方向に離れて形成され、右側の端部に２つの開口部２８ａ，２８ｂが互いに鉛直方向に離れて形成されている。
【００３１】
図４は、扉部２２だけを取り出して示すようにした背面図である。この扉部２２における扉本体部材２３の２つの開口部２４ａ，２４ｂのそれぞれは、その内側面（背面）に配置される２つのパンチングメタル部材３０ａ，３０ｂ（網状板部材）により閉止されている。また、扉本体部材２３における開口部２６ａ，２６ｂ，２８ａ，２８ｂのそれぞれは、平板状のパンチングメタル部材３２ａ，３２ｂ，３４ａ，３４ｂにより閉止されている。
【００３２】
ここで、パンチングメタル部材３０ａは、図１及び図４中において図面の複雑化の防止のために無地状に示してあるが、実際には、その任意の平面領域を拡大した図５に示すように、通気孔として機能する多数の小さい六角孔３６が、打ち抜き加工により全面にわたって亀甲形に配列するよう形成されている。
【００３３】
パンチングメタル部材３０ｂ，３２ａ，３２ｂ，３４ａ，３４ｂも、図示しないが、図５に示すパンチングメタル部材３０ａと同様に、通気孔として機能する多数の小さい六角孔３６が、打ち抜き加工により全面にわたって亀甲形に配列するよう形成されている。六角孔３６は、網目と呼ぶことがあるものとする。
【００３４】
図４に示すように、パンチングメタル部材３０ａ，３０ｂのそれぞれには、鉛直方向に伸びる複数の折り目が形成されている。この複数の折り目は、図６及び図７に示すように、パンチングメタル部材３０ａ，３０ｂそれぞれにおける幅方向（図６及び図７中、左右方向）の両端部の最も外側のものを除く他の中央部の折り目が、その折り曲げ方向の山谷の向きが２回ごとに交互に入れ替わるように折り曲げられている。
【００３５】
これにより、パンチングメタル部材３０ａ，３０ｂのそれぞれは、扉部２２の厚さ方向（図６及び図７中、上下方向）に交互に出没し、扉部２２の幅方向（図６及び図７中、左右方向）に並ぶ複数の平坦部を有するような形状に形成されている。
【００３６】
また扉部２２には、図４に示すように、その扉本体部材２３の内側面（背面）における開口部２４ａの上側の周縁部に、略棒状の接合部材３８が溶接により水平に固定されている。
【００３７】
また、扉本体部材２３の内側面における開口部２４ａの下側の周縁部であって、かつ、開口部２４ｂの上側の周縁部である、開口部２４ａと２４ｂの間の帯状の部分には、略棒状の接合部材４０が溶接により水平に固定されている。また、開口部２４ｂの下側の周縁部には、略棒状の接合部材４２が溶接により水平に固定されている。
【００３８】
パンチングメタル部材３０ａは、図４及び図８に示すように、その上端部と下端部のそれぞれが、接合部材３８の下端面と接合部材４０の上端面のそれぞれに、スポット溶接により数箇所で接合されている。
【００３９】
また、パンチングメタル部材３０ｂは、その上端部と下端部のそれぞれが、接合部材４０の下端面と接合部材４２の上端面のそれぞれに、スポット溶接により数箇所で接合されている。
【００４０】
また、パンチングメタル部材３０ａ，３０ｂのそれぞれは、図４に示すように、その幅方向の両端部の各縦辺が、その辺上の数箇所において扉本体部材２３の内側面にスポット溶接により接合されている。
【００４１】
また、パンチングメタル部材３２ａ，３２ｂ，３４ａ，３４ｂは、その各々の四辺上の数箇所において扉本体部材２３の内側面にスポット溶接により接合されている。
【００４２】
接合部材３８は、図８に示すように、その長さ方向（図８中、紙面に垂直の方向）に直角の断面形状がコの字状に形成されている。この接合部材３８には、そのコの字状の断面形状における縦棒部を水平方向に貫通する通気孔４４が、図４に示すように、複数形成されている。
【００４３】
また、図８に示すように、接合部材３８におけるコの字状の断面形状の２本の横棒部のうち、扉本体部材２３の開口部２４ａ寄りのものには、鉛直方向に貫通する通気孔４６が、図６に示すように、複数形成されている。
【００４４】
この複数の通気孔４６のうち、パンチングメタル部材３０ａよりも外側（図６中、パンチングメタル部材３０ａよりも下側の領域）に開口するものは、パンチングメタル部材３０ａを介さずに、接合部材３８における図８に示すコの字状の断面形状の内部空間及び通気孔４４を介して、機器収納ラック２０の外部空間と内部空間とを連通している。
【００４５】
また、図８に示すように、接合部材４０は、接合部材３８と同様に、その長さ方向（図８中、紙面に垂直の方向）に直角の断面形状がコの字状に形成されており、このコの字状の断面形状における縦棒部には水平方向に貫通する通気孔４８が、図４に示すように、複数形成されている。
【００４６】
また、図８に示すように、接合部材４０におけるコの字状の断面形状の２本の横棒部のうちの上側の横棒部には、鉛直方向に貫通する通気孔５０が、図７に示すように、複数形成されている。
【００４７】
この複数の通気孔５０のうち、パンチングメタル部材３０ａよりも外側（図７中、パンチングメタル部材３０ａよりも上側の領域）に開口するものは、パンチングメタル部材３０ａを介さずに、接合部材４０における図８に示すコの字状の断面形状の内部空間及び通気孔４８を介して、機器収納ラック２０の外部空間と内部空間とを連通している。
【００４８】
また、図８に示すように、接合部材４０におけるコの字状の断面形状の２本の横棒部のうちの下側の横棒部には、上側の横棒部に形成された複数の通気孔５０と全く同様の、複数の通気孔５０が形成されており、パンチングメタル部材３０ｂよりも外側に開口するものが、機器収納ラック２０の外部空間と内部空間とを連通している。
【００４９】
また、接合部材４２は、接合部材３８を上下方向に逆転した構造となるように形成されている。この接合部材４２は、その複数の通気孔４６のうちのパンチングメタル部材３０ｂよりも外側に開口するものが、機器収納ラック２０の外部空間と内部空間とを連通している。
【００５０】
このような本実施の形態に係る機器収納ラック２０によれば、その扉部２２における扉本体部材２３の開口部２４ａ，２４ｂを閉止するパンチングメタル部材３０ａ，３０ｂのそれぞれが、扉部２２の厚さ方向に交互に出没し、扉部２２の幅方向に並ぶ複数の平坦部を有するような形状に形成されていることにより、開口部２４ａ，２４ｂの開口面積に対するパンチングメタル部材３０ａ，３０ｂの六角穴３６（通気孔）の開孔面積の総和の比率を増大させることができるので、不正操作などの別の問題が生じたり強度を損なったりしないようにしながら、排熱機能の向上を図ることができる。
【００５１】
また、本実施の形態に係る機器収納ラック２０によれば、図８に示すように、その扉部２２における接合部材３８，４０，４２の通気孔４６，５０のうち、パンチングメタル部材３０ａ，３０ｂよりも外側に開口するものが、パンチングメタル部材３０ａ，３０ｂを介さずに、機器収納ラック２０の外部空間と内部空間とを連通するようになっているので、この機器収納ラック２０の排熱機能をさらに向上させることができる。
【００５２】
また、本実施の形態に係る機器収納ラック２０によれば、そのパンチングメタル部材３０ａ，３０ｂ，３２ａ，３２ｂ，３４ａ，３４ｂの網目が亀甲状に形成されているので、これらパンチングメタル部材の開孔率を向上させることができると共に、その強度向上を図ることができる。
【００５３】
また、本実施の形態に係る機器収納ラック２０によれば、パンチングメタル部材３０ａ，３０ｂで閉止される開口部２４ａ，２４ｂが、扉部２２の扉本体部材２３に形成されているので、この機器収納ラック２０が互いに隣合うように複数並べて配置されるようになる場合でも、不正操作などの別の問題が生じたり強度を損なったりしないようにしながら、排熱機能の向上を図ることができる。
【００５４】
次に、図９から図１２は、本発明の第２の実施の形態に係る機器収納ラック６０について説明するために参照する図である。前記第１の実施の形態に係る機器収納ラック２０と同様の部分には同じ符号を用いて説明し、同様の構成についての重複する説明はできるだけ省略するものとする。
【００５５】
本発明の第２の実施の形態に係る機器収納ラック６０は、図９から図１２に示すように、前記第１の実施の形態で用いた扉部２２の代わりに扉部６１を備えている。この扉部６１は、前記第１の実施の形態で用いたパンチングメタル部材３０ａの代わりに、パンチングメタル部材６２ａ，６３ａを備えている。また、前記第１の実施の形態で用いたパンチングメタル部材３０ｂの代わりに、パンチングメタル部材６２ｂ，６３ｂを備えている。
【００５６】
また、本発明の第２の実施の形態に係る機器収納ラック６０の扉部６１は、図１０から図１２に示すように、前記第１の実施の形態で用いた接合部材３８，４０，４２のそれぞれの代わりに、接合部材６８，７０，７２を備えている。
【００５７】
パンチングメタル部材６２ａ，６３ａのそれぞれは、扉本体部材２３の開口部２４ａの開口領域をその幅方向に半分ずつに仕切った領域のそれぞれを閉止している。また、パンチングメタル部材６２ａ，６３ａの間には、鉛直方向に長さを有する棒状の補強部材７４ａが配置されている。
【００５８】
この補強部材７４ａは、図１０に示すように、溶接により、その上端部が接合部材６８の下端面に接合され、下端部が接合部材７０の上端面に接合されている。また、パンチングメタル部材６２ａ，６３ａそれぞれにおける幅方向の補強部材７４側の端部の縦辺は、スポット溶接により補強部材７４ａに数箇所で接合されている。
【００５９】
また、パンチングメタル部材６２ｂ，６３ｂのそれぞれは、扉本体部材２３の開口部２４ｂの開口領域をその幅方向に半分ずつに仕切った領域のそれぞれを閉止している。また、パンチングメタル部材６２ｂ，６３ｂの間には、鉛直方向に長さを有する棒状の補強部材７４ｂが配置されている。
【００６０】
このような本実施の形態に係る機器収納ラック６０によれば、前記第１の実施の形態と同様の効果を奏することができる他に、扉部６１が補強部材７４ａ，７４ｂを備えていることにより、その強度を向上させることができる。
【００６１】
次に、図１３から図１５は、本発明の第３の実施の形態に係る機器収納ラック８０について説明するために参照する図である。前記第１の実施の形態に係る機器収納ラック２０と同様の部分には同じ符号を用いて説明し、同様の構成についての重複する説明はできるだけ省略するものとする。
【００６２】
本発明の第３の実施の形態に係る機器収納ラック８０は、前記第１の実施の形態で用いた本体部４の代わりに本体部８２を備えている。機器収納ラック８０は、図１３及び図１４に示すように、その本体部８２の内部の収納空間が上下２段に分割され、この本体部８２の正面側及び背面側のそれぞれに、本体部８２の内部の分割された収納空間のそれぞれに対応する扉部８４を２つずつ備えている。
【００６３】
扉部８４のそれぞれは、図１５に示すように、開口部２４ｃが一つだけ形成された扉本体部材８５を備えて構成されている。また、扉部８４のそれぞれは、前記第１の実施の形態で用いた接合部材４０（図４参照）に相当する部材を備えておらず、パンチングメタル部材３０ｃの上下端部のそれぞれが、接合部材３８，４２に接合されている。
【００６４】
このような本実施の形態に係る機器収納ラック８０においても、前記第１の実施の形態と同様の効果を奏することができる。
【００６５】
なお、前記第１から第３の実施の形態に係る機器収納ラック２０，６０，８０おいては、その扉部２２，６１，８４における扉本体部材２３，８５に開口部２４ａ，２４ｂ，２４ｃ（以下において、この開口部２４ａ，２４ｂ，２４ｃの符号それぞれにアルファベットを付して区別する必要がないときは、アルファベットを付さずに数字だけで表すことがあるものとする。他の符号も同様とする。）が形成されていたが、本体部４，８２の上面や側面等のいずれかの箇所に開口部２４が形成されるようにし、このような本体部４，８２に形成された開口部２４がパンチングメタル部材３０又は６２，６３で閉止されるようになっていてもよい。
【００６６】
また、本体部４，８２の上面や側面等のいずれかの箇所に開口部２４を形成した場合には、その周縁部に、接合部材３８，４０，４２（図４及び図１５参照）又は接合部材６８，７０，７２（図１０参照）に相当する接合部材を配置し、パンチングメタル部材３０又は６２，６３の端部をこれらの接合部材に接合するようにしてもよい。
【００６７】
また、前記第１及び第２の実施の形態においては、扉部２２，６１における扉本体部材２３の開口部２４ａ，２４ｂが互いにほぼ同じ大きさ・形状で形成されていたが、互いに異なる大きさ・形状で形成されていてもよい。或いは、扉本体部材２３のそれぞれに開口部２４ａ，２４ｂのいずれか一方だけが任意の大きさで形成されるようになっていてもよい。
【００６８】
また、前記第１から第３の実施の形態に係る機器収納ラック２０，６０，８０は、特定の大きさのものに限定されない。前記第１及び第２の実施の形態に係る機器収納ラック２０，６０は、例えば、その本体部４内にコンピュータ等の電子機器を１台だけ収納できる程度の大きさとなるように形成してもよいし、或いは、複数台収納できる程度の大きさとなるように形成してもよい。複数台収納できるようにする場合には、本体部４の内部に棚状の構造を備えるようにしてもよい。
【００６９】
また、前記第３の実施の形態に係る機器収納ラック８０は、例えば、その本体部８２内の上段と下段の収納空間それぞれにコンピュータ等の電子機器を１台ずつ収納できる程度の大きさとなるように形成してもよいし、または、複数台ずつを収納できる程度の大きさとなるように形成してもよい。
【００７０】
また、前記第３の実施の形態においては、その本体部８２の内部の収納空間が上下２段に分割され、この本体部８２の正面側及び背面側のそれぞれに、本体部８２の内部の分割された収納空間のそれぞれに対応する、扉部８４を２つずつ備えていたが、本体部４の内部の収納空間が上下３段以上に分割され、このように分割された収納空間のそれぞれに対応する扉部材を備えるようになっていてもよい。
【００７１】
また、前記第１の実施の形態においては、図６から図８に示すように、その扉部２２の接合部材３８，４０，４２に形成される通気孔４６，５０は、パンチングメタル部材３０よりも外側の領域（図６中においてパンチングメタル部材３０ａよりも下側の領域、図７中においてはパンチングメタル部材３０ａよりも上側の領域）に形成されるものと、パンチングメタル部材３０よりも内側の領域に形成されるものの両方があったが、通気孔４６，５０は、パンチングメタル部材３０の外側の領域のものだけが形成されるようになっていてもよい。前記第２及び前記第３の実施の形態においても同様である。
【００７２】
また、前記第１から第３の実施の形態においては、その扉部２２，６１，８４の接合部材３８，４０，４２，６８，７０，７２に形成される通気孔４４，４６，４８，５０が丸孔形状に形成されていたが、丸孔以外の他の形状で開口するように形成されていてもよい。
【００７３】
また、前記第３の実施の形態においては、その扉部８４の開口部２４ｃが、パンチングメタル部材３０ｃで閉止されていたが、前記第２の実施の形態で用いたパンチングメタル部材６２，６３で閉止されるようにすると共に、補強部材７４を備えるようになっていてもよい。
【００７４】
また、前記実施の形態においては、パンチングメタル部材として、その網目が六角孔３６であるものを用いたが、網目が六角孔３６以外の他の形状に形成されるパンチングメタル部材を用いるようにしてもよい。例えば網目が、丸孔、長孔、角孔、又は菱形孔等の形状に形成されたパンチングメタル部材を用いるようにしてもよい。
【００７５】
また、前記実施の形態においては、網状板部材としてパンチングメタル部材を用いたが、パンチングメタル部材以外の網状板部材として、例えば、針金を編んで形成した織金網や、或いは、薄い金属板に多数の千鳥配列の切り込みを入れた後、この切り込み線の伸びる方向と直角の方向に引張って網状に形成するエキスパンドメタル等を用いるようにしてもよい。
【００７６】
また、前記第１から第３の実施の形態では、本発明を、各実施の形態に係る機器収納ラック２０，６０，８０に適用した場合について説明したが、本発明は、上記各機器収納ラック２０，６０，８０のようなもののみに限定する必要はなく、これら以外のどのような具体的構成の機器収納ラックに対しても適用することができる。
【符号の説明】
【００７７】
２  機器収納ラック
４  本体部
６  ヒンジ部材
８  扉部
１０  錠部材
１２  パンチングメタル部材
１４  丸孔
２０  機器収納ラック
２２  扉部
２３  扉本体部材
２４，２４ａ，２４ｂ，２６，２６ａ，２６ｂ，２８，２８ａ，２８ｂ  開口部
３０，３０ａ，３０ｂ，３２，３２ａ，３２ｂ，３４，３４ａ，３４ｂ  パンチングメタル部材
３６  六角孔
３８，４０，４２  接合部材
４４，４６，４８，５０  通気孔
６０  機器収納ラック
６１  扉部
６２ａ，６２ｂ，６３ａ，６３ｂ  パンチングメタル部材
６８，７０，７２  接合部材
７４ａ，７４ｂ  補強部材
８０  機器収納ラック
８２  本体部
８４  扉部
８５  扉本体部材
【図１】
0005408778.tif 000002
【図２】
0005408778.tif 000003
【図３】
0005408778.tif 000004
【図４】
0005408778.tif 000005
【図５】
0005408778.tif 000006
【図６】
0005408778.tif 000007
【図７】
0005408778.tif 000008
【図８】
0005408778.tif 000009
【図９】
0005408778.tif 000010
【図１０】
0005408778.tif 000011
【図１１】
0005408778.tif 000012
【図１２】
0005408778.tif 000013
【図１３】
0005408778.tif 000014
【図１４】
0005408778.tif 000015
【図１５】
0005408778.tif 000016
【図１６】
0005408778.tif 000017
【図１７】
0005408778.tif 000018
【図１８】
0005408778.tif 000019
【図１９】
0005408778.tif 000020